(57)【要約】【課題】軸受内への海水、異物等の浸入を確実に防止でき、悪環境下での使用に十分耐え得るとともに、回転性能、取り扱い性、および、メンテナンス性が良好な魚釣用スピニングリールを提供する。【解決手段】本発明の魚釣用スピニングリールでは、軸受に磁性流体シールが一体に設けられて成る磁性流体シール付き軸受２５を介してラインローラ２３が支軸１７に回転可能に支持される。軸受２５の磁性流体シール４０は軸受本体３０の両側に設けられる。また、磁性流体シール４０磁性流体４５は、外輪３０ｂと磁石４２との間に保持される外輪側磁性流体４５ｂと、内輪３０ａと保持板４４との間に保持される内輪側磁性流体４５ａとを有する。【選択図】  図３
2015146767.tif 000002
【特許請求の範囲】
【請求項１】
ハンドルの回転操作によるロータの回転により該ロータに設けられたラインローラの案内によって釣糸をスプールに巻回する魚釣用スピニングリールであって、
軸受に磁性流体シールが一体に設けられて成る磁性流体シール付き軸受を介して前記ラインローラが支軸に回転可能に支持され、
前記磁性流体シール付き軸受は、
磁性体から成る内輪と、磁性体から成る外輪と、内輪と外輪との間に転動可能に介挿される転動体とを有する軸受本体と、
前記軸受本体に一体に保持され、前記内輪または前記外輪との間で磁気回路を形成して前記軸受本体の内部をシールする磁性流体シールと、
を備え、
前記磁性流体シールは、前記内輪または前記外輪との間で磁気回路を形成する磁石と、該磁石を保持する保持板と、前記内輪または前記外輪と前記保持板または前記磁石との間に保持される磁性流体とを備えることを特徴とする魚釣用スピニングリール。
【請求項２】
前記磁性流体シールが前記軸受本体の両側に設けられることを特徴とする請求項１に記載の魚釣用スピニングリール。
【請求項３】
前記磁性流体は、前記外輪と前記保持板または前記磁石との間に保持される外輪側磁性流体と、前記内輪と前記保持板または前記磁石との間に保持される内輪側磁性流体とを有することを特徴とする請求項１または請求項２に記載の魚釣用スピニングリール。
【請求項４】
前記軸受本体は、前記支軸の軸方向で押圧されることなく前記支軸上に支持されることを特徴とする請求項１ないし請求項３のいずれか１項に記載の魚釣用スピニングリール。
【請求項５】
前記支軸に取り付けられてベールを支持する支持部材を更に備え、前記磁性流体シールの磁性流体と該磁性流体に対向する前記支持部材の対向部位との間には、前記支持部材に対する磁性流体の付着を防止するための間隙が設けられることを特徴とする請求項１ないし請求項４のいずれか１項に記載の魚釣用スピニングリール。
【発明の詳細な説明】
【技術分野】
【０００１】
本発明は、軸受に磁性流体シールが一体に設けられて成る磁性流体シール付き軸受を備える魚釣用スピニングリールに関し、特に、釣糸をスプールへと案内するためのラインローラを前記磁性流体シール付き軸受により支持する魚釣用スピニングリールに関する。
【背景技術】
【０００２】
従来から、磁性流体を用いた磁気シール機構を軸受に適用する魚釣用リールが知られている。例えば特許文献１には、釣糸をスプールへと案内するためのラインローラが支軸に軸受を介して回転可能に支持されたラインローラの支持構造に関し、軸受の側部に磁石を設けて外輪との間に形成される磁気回路を利用して磁性流体を保持して成る磁気シール機構が開示されている。
【０００３】
また、例えば特許文献２には、軸受に磁性流体シールが一体に設けられて成る磁性流体シール付き軸受によってハンドル操作で回転駆動される駆動軸を回転可能に支持するようにした魚釣用リールが開示される。
【先行技術文献】
【特許文献】
【０００４】
【特許文献１】特開２０１３−９７号公報
【特許文献２】特開２０１３−１１０号公報
【発明の概要】
【発明が解決しようとする課題】
【０００５】
しかしながら、前記特許文献１に開示される軸受シール構造では、軸受の片側だけが磁気シールされるため、軸受の内輪と支軸との嵌合部、軸受の外輪とラインローラとの間の嵌合部、および、ネジ締め付け部などを通じて浸み込んだ海水が軸受の内部に入って塩ガミする可能性があり、過酷な条件下で使用される釣糸案内部の支持部のシール構造として十分とは言えない。
【０００６】
また、前記特許文献１に開示される軸受シール構造では、軸受の側部に磁気シール機構が並設される構成であるため、取り扱いが面倒であり、メンテナンス性が悪い。更に、軸受の片側だけが磁気シールされている関係上、防水性を向上させるべく内輪を軸方向に押圧して両側で当て付けた構成としているため、軸受の内外輪に軸方向の剪断力が作用して、軸受に無理な力が作用し、したがって、ラインローラの回転が重くなる。
【０００７】
一方、前記特許文献２に開示される軸受シール構造は、軸受に磁性流体シールが一体に設けられて成る磁性流体シール付き軸受によってハンドル操作で回転駆動される駆動軸を回転可能に支持するようにしているため、取り扱い性、および、メンテナンス性は良好である。しかしながら、ハンドルの操作で回転駆動される駆動軸を支持する軸受のシール技術に留まり、高速回転して釣糸をシゴキながらスプールへと案内支持するラインローラの軸受部を確実にシールするという着想がない。また、特許文献１と同様、軸受の片側だけが磁気シールされるため、前述した特許文献１と同様の問題を伴う。
【０００８】
本発明は、上記した問題に着目してなされたものであり、軸受内への海水、異物等の浸入を確実に防止でき、悪環境下での使用に十分耐え得るとともに、回転性能、取り扱い性、および、メンテナンス性が良好な魚釣用スピニングリールを提供することを目的とする。
【課題を解決するための手段】
【０００９】
上記した目的を達成するために、本発明は、ハンドルの回転操作によるロータの回転により該ロータに設けられたラインローラの案内によって釣糸をスプールに巻回する魚釣用スピニングリールであって、軸受に磁性流体シールが一体に設けられて成る磁性流体シール付き軸受を介して前記ラインローラが支軸に回転可能に支持され、前記磁性流体シール付き軸受は、磁性体から成る内輪と、磁性体から成る外輪と、内輪と外輪との間に転動可能に介挿される転動体とを有する軸受本体と、前記軸受本体に一体に保持され、前記内輪または前記外輪との間で磁気回路を形成して前記軸受本体の内部をシールする磁性流体シールとを備え、前記磁性流体シールは、前記内輪または前記外輪との間で磁気回路を形成する磁石と、該磁石を保持する保持板と、前記内輪または前記外輪と前記保持板または前記磁石との間に保持される磁性流体とを備えることを特徴とする魚釣用スピニングリール。
【００１０】
上記した構成の魚釣用スピニングリールによれば、軸受に磁性流体シールが一体に設けられて成る磁性流体シール付き軸受によってラインローラを支軸に回転可能に支持するようにしているため、取り扱い性およびメンテナンス性（特に、高速回転して釣糸をシゴキながらスプールへと案内支持するラインローラでは、実釣の繰り返しによって様々な異物や海水の固化物等がラインローラの支持部周りに付着してしまうため、メンテナンス性の向上は非常に有益である）が良好になるとともに、高速回転して釣糸をシゴキながらスプールへと案内支持するラインローラの軸受部を確実にシールすることが可能になる。また、このようなユニット型の磁性流体シール付き軸受によれば、軸受の設置スペースとは別にシールのためのスペースを確保する必要がなくなる。そのため、小さいスペースでシールおよび軸受を設置でき、省スペース化を図ることができる。また、軸受の組み込みとは別に磁気シール機構を組み付ける必要がないため、組み込み性（作業性）が良く、生産性を向上できる（つまり、組み立て作業時間を短くでき、製造コストも低減できる）。
【００１１】
また、上記構成では、磁性流体シールが軸受本体の両側に設けられることが好ましい。そのような構成は、特に、海水や異物等を多く付着した釣糸を高速回転してシゴキながらスプールへと案内するという過酷な環境下で使用されるラインローラにおいては非常に有益である。すなわち、磁性流体シールを軸受本体の両側に設けることにより、例えば、軸受の内輪と支軸との嵌合部、軸受の外輪とラインローラとの間の嵌合部、および、ネジ締め付け部などを通じて海水等が軸受の内部に入って塩ガミする可能性を確実に防止できる。また、このような作用効果は、磁性流体を内外輪の両方に対して設けることにより、具体的には、外輪と保持板または磁石との間に保持される外輪側磁性流体と、内輪と保持板または磁石との間に保持される内輪側磁性流体を設けることより向上される。
【００１２】
また、このように磁性流体シールが軸受本体の両側に設けられれば、例えば特許文献１の軸受片側シール構造のように防水性を向上させるべく内輪を軸方向に押圧して両側で当て付けた構成とする必要がなくなる（軸受本体を支軸の軸方向で押圧することなく支軸上に（例えば所定の軸方向遊度をもって）支持することができる）。そのため、軸受の内外輪に軸方向の剪断力を作用させずに済み、軸受の回転、したがって、ラインローラの回転を軽くして（回転を滑らかにして）、ラインローラの回転性能を向上させることができる。
【００１３】
また、上記構成では、磁性流体シールの磁性流体と該磁性流体に対向するベール支持部材の対向部位との間に、支持部材に対する磁性流体の付着を防止するための間隙が設けられることが好ましい。この場合、支持部材に磁性流体を逃がす逃げ部（例えば溝など）を設けるなど、間隙を形成する態様は任意である。このような間隙を設けると、毛細管現象、ロータ高速回転に伴う遠心力、および、熱膨張による圧力変化などに起因して磁性流体が外方に膨れ上がる際に、その膨れ上がった磁性流体が周囲の部材、特に支持部材に付着することが防止され、したがって、軸受の磁性流体が損なわれることを回避でき、シール機能を良好に維持することができるようになる。
【発明の効果】
【００１４】
本発明によれば、軸受内への海水、異物等の浸入を確実に防止でき、悪環境下での使用に十分耐え得るとともに、回転性能、取り扱い性、および、メンテナンス性が良好な魚釣用スピニングリールを提供できる。
【図面の簡単な説明】
【００１５】
【図１】本発明の一実施形態に係る魚釣用スピニングリールの全体の側面図である。
【図２】図１のＡ−Ａ線に沿う断面図である。
【図３】図２の要部拡大断面図である。
【図４】図３の変形例を示す要部拡大断面図である。
【発明を実施するための形態】
【００１６】
以下、図面を参照しながら、本発明に係る魚釣用スピニングリールの一実施形態について説明する。
【００１７】
図１〜図３は本発明の魚釣用スピニングリールの一実施形態を示している。図１に示されるように、本実施形態の魚釣用スピニングリールはリール本体１を有する。リール本体１内には、ハンドル３の回転操作によって回転駆動する駆動歯車（図示しない）が設けられており、この駆動歯車には、ピニオンが噛合している。ピニオン内には、スプール軸（図示しない）が軸方向に挿通されており、このスプール軸の先端には、釣糸が巻回されるスプール５が回転可能に取り付けられている。この場合、スプール軸（スプール５）は、駆動歯車に係合するオシレーティング機構（図示しない）を介して、駆動歯車の回転によって前後動するように構成されている。
【００１８】
また、前記ピニオンの先端には、このピニオンと一体的に回転するロータ７が取り付けられており、このロータ７には、一対の支持アーム９が設けられている。これらの支持アーム９にはそれぞれ、支持部材１１を介して、ベール１３が釣糸放出状態と釣糸巻回状態とに回動可能に支持されている。そして、一方の支持部材１１とベール１３の端部との間には、釣糸をスプール５へと案内するための後述する釣糸案内装置１５が介装されている。
【００１９】
このような構成において、ハンドル３を回転操作すると、その回転運動は、駆動歯車を介して前記ピニオンに伝達され、このピニオンを介してロータ７を回転させると共に、前記オシレーティング機構を介してスプール軸に伝達され、スプール５を前後動させる。これにより、釣糸は、釣糸案内装置１５を介してスプール５に片寄ること無く均等に巻回される。
【００２０】
図２および図３に示されるように、釣糸案内装置１５は、一方の支持部材１１にネジ１９によって締結されており、このネジ１９が螺入されるように軸方向に延出する支持部（支軸）１７が形成されたラインスライダ２１を有している。なお、支持部１７は、図示のように、ラインスライダ２１に一体形成されていても良いし、支持部材１１側に一体形成されていても良い。
【００２１】
ラインスライダ２１にはベール１３の一方の基端部が接続されており、釣糸巻取開始時にベール１３を釣糸巻回状態に回動させると、釣糸が、ベール１３からラインスライダ２１を介して、釣糸案内装置１５の一構成部材であるラインローラ２３に案内されるようになっている。
【００２２】
ラインローラ２３は、軸受に磁性流体シールが一体に設けられて成る後述する磁性流体シール付き軸受２５およびカラー２７を介して支持部１７に回転可能に支持されている。この場合、ラインローラ２３は、中空の略筒体形状を成しており、その外周面は平滑化されている。これにより、釣糸巻取時にベール１３からラインスライダ２１を介して案内された釣糸は、ラインローラ２３の外周面を滑らかに経由しながらスプール５に巻回される。なお、ラインローラ２３の外周形状については、特に限定されることはない。
【００２３】
また、本実施形態において、カラー２７の存在は有益である。すなわち、本実施形態において、磁性流体シール付き軸受２５を２つ並設してラインローラ２３を回転可能に支持するようにすると、磁気シール機構を軸受内部に内蔵する構成上、この部分で軸方向寸法が大きくなるが、そのうちの一方をカラー２７に代えてラインローラ２３を回転可能に支持することにより、軸方向寸法を短く抑えることができる一方で、ラインローラ２３を安定して支持することも同時に可能となる。この場合、カラー２７は、軽量化して高速回転するロータの回転バランス化を図るために樹脂で形成することが好ましいが、アルミ等の金属によって形成しても構わない。
【００２４】
磁性流体シール付き軸受２５およびカラー２７は、ラインローラ２３の内周面と支持部１７の外周面との間に介在されており、軸方向（ラインローラ２３の回転軸に沿った方向）に互いに離間して並列配置されている。
【００２５】
また、磁性流体シール付き軸受２５およびカラー２７の互いに対向する対向端（内側端）は、共に、ラインローラ２３の内周面に突出形成された係止部２９の両端面に当て付けられている。そして、カラー２７の外側端は、支持部１７に形成された段差係止部３３と所定の隙間ｃ（例えば０．１〜０．２ｍｍの隙間；特に図３参照）を介して当接可能に対向し、一方、磁性流体シール付き軸受２５の外側端（具体的には、磁性流体シール付き軸受２５の後述する軸受本体３０の内輪３０ａ）は、支持部材１１に形成されて支持部１７の端部に被嵌される被嵌係止部３７に対して軸方向（支持部１７の軸方向）の押圧力を伴わずに当て付けられている。つまり、磁性流体シール付き軸受２５（したがって、磁性流体シール付き軸受２５、カラー２７、および、ラインローラ２３から成るアセンブリ）は、支持部１７の軸方向で押圧されることなく支持部１７上に軸方向遊度（隙間ｃ）をもって支持される。言い換えると、磁性流体シール付き軸受２５およびカラー２７は、所定の軸方向遊度（隙間ｃ）をもって、各係止部２９，３３，３７によって軸方向への移動が規制された状態で支持される。
【００２６】
次に、釣糸案内装置１５に配される磁性流体シール付き軸受２５について説明する。  
図２および図３に明確に示されるように、磁性流体シール付き軸受２５は、円筒状の内輪３０ａと、これを囲繞する円筒状の外輪３０ｂと、内輪３０ａと外輪３０ｂとの間に介装される複数の転動体（転がり部材）３０ｃとを少なくとも有する軸受本体３０を備える。
【００２７】
本実施形態において、内輪３０ａ、外輪３０ｂ、および、転動体３０ｃは、磁性を有する材料、例えばクロム系ステンレス（ＳＵＳ４４０Ｃ）によって形成されるが、転動体３０ｃについては、必ずしも磁性体である必要はない。
【００２８】
内輪３０ａおよび外輪３０ｂの側部開口側には、軸受本体３０に一体に保持されるとともに内輪３０ａまたは外輪３０ｂとの間で磁気回路を形成して軸受本体３０の内部をシールする磁性流体シール４０が設置されている。なお、本実施形態では、内輪３０ａと外輪３０ｂの両側の開口に、同じ構成の磁性流体シール４０が配設されているため、以下の説明では、片側の構成（図２および図３の左側）について説明する。
【００２９】
磁性流体シール４０は、内輪３０ａまたは外輪３０ｂとの間で磁気回路を形成するリング状に構成された磁石（以下、磁石と称する）４２と、磁石４２の軸方向外側面に接して配置される（磁石４２を保持する）リング状の保持板（極板）４４と、磁石４２によって形成される磁気回路に保持される（内輪３０ａまたは外輪３０ｂと保持板４４または磁石４２との間に保持される）磁性流体４５とを有しており、これらの部材により、転動体３０ｃ内に、海水や異物等が浸入しないようにシールする機能を有している。なお、本実施形態において、磁性流体４５は、外輪３０ｂと保持板４４または磁石４２との間（本実施形態では、外輪３０ｂと磁石４２との間）に保持される外輪側磁性流体４５ｂと、内輪３０ａと保持板４４または磁石４２との間（本実施形態では、内輪３０ａと保持板４４との間）に保持される内輪側磁性流体４５ａとを有する。
【００３０】
磁石４２としては、磁束密度が高く、磁力が強い永久磁石、例えば、焼結製法によって作成されるネオジム磁石を用いることができ、予め軸方向（軸受２５の軸芯方向）に磁極（Ｓ極、Ｎ極）が向くように着磁されている。また、磁石４２の軸方向外側面には、保持板４４が接するように配設される。なお、保持板４４は、磁性を有する材料、例えばクロム系ステンレス（ＳＵＳ４４０Ｃ）によって形成されている。
【００３１】
磁石４２および保持板４４は、本実施形態では、予め接着されているが、接着していなくても良い。この場合、両者を予め接着しておくことで、磁石４２の位置決めやセンター出しが容易に行える共に、磁石４２と保持板４４がユニット化され、組み込み作業が容易に行えるようになる。
【００３２】
外輪側磁性流体４５ａおよび内輪側磁性流体４５ｂは、例えばＦｅ3Ｏ4のような磁性微粒子を、界面活性剤によってベースオイルに安定した状態で分散させて構成されたものであり、粘性があって磁石を近づけると反応する特性を備えている。このため、磁性流体４５ａ，４５ｂは、磁石４２と、磁性材料で構成される内輪３０ａ、外輪３０ｂ、および、保持板４４との間で形成される磁気回路によって、所定の位置に安定して保持される。
【００３３】
また、外輪３０ｂの内面には、磁石４２に対して転動体３０ｃ側に段差６０が形成されており、この段差６０により、外輪３０ｂは、開口側が薄肉領域３０ｂＡ、転動体側が厚肉領域３０ｂＢとなって、軸方向の外側の内外輪間隔が内側よりも大きく形成されている。この段差６０は、磁性流体４５を保持するための隙間（段差隙間）を生じさせるように形成されるが、本実施形態では、軸方向に対して垂直な面６０ａとなるように形成されている（垂直な面とすることにより、磁石４２を吸着して、位置決め、固定することもできる）。なお、段差については、本実施形態のように、垂直な面に限定されるものではなく、磁石４２との間で磁性流体４５を安定して保持できるのであれば、階段状に形成されていたり、傾斜状（斜面）に形成されていても良い。この場合、斜面にすることで、磁石４２の位置決めおよび磁性流体４５の保持が可能となる。
【００３４】
また、本実施形態では、内輪３０ａの端面にも段差８５が形成されている。この段差８５は、軸受２５の軸方向に対して垂直な面８６を含んだ階段状に形成されており、保持板４４は、軸方向の厚さの範囲内（Ａ点（保持板４４の幅方向外側端縁）とＢ点（保持板４４の幅方向内側端縁）の間）に、段差８５によって形成される内側エッジ８０（段差８５の上端縁；垂直な面８６の上縁）が位置するように圧入されている。すなわち、このような階段状の段差８５を形成したことにより、磁性流体４５ａは、保持板４４の端面４４ａから盛り上がることなく、窪んだ位置にある垂直な面８５との間で保持されるようになる。この場合、内側エッジ８０の位置が、Ｂ点よりも軸受内側に入ってしまうと、保持板４４と内輪３０ａとの間に磁性流体４５ａが十分に保持されなくなってしまう。また、内側エッジ８０の位置点が、Ａ点よりも軸受外側になってしまうと、磁性流体４５ａが盛り上がってしまい、外輪３０ｂ部分や内輪３０ａ部分を指で摘まんだ際、指に付着し易くなってしまう。
【００３５】
上記した段差８５の構成では、その垂直な面８６の径方向肉厚Ｄは、保持板４４の内周端面から内側エッジ８０までの隙間Ｇより大きく設定しておくことが好ましい。すなわち、径方向肉厚Ｄの厚さについては、特に限定されることはないが、ある程度距離を取っておく（隙間Ｇよりも大きく設定しておく）ことにより、磁性流体４５ａの盛り上がりを抑制することができ、内輪３０ａの端部領域に指が触れた際、その指に磁性流体が付着するのを効果的に防止することができるようになる。
【００３６】
保持板４４は、その外径が外輪３０ｂの内周面（薄肉領域３０ｂＡの内周面）に対して僅かに大きく形成されており、接着した磁石４２と共に、外輪３０ｂの開口側に圧入されるようになっている。また、磁石４２を接着した保持板４４は、外輪３０ｂに対して圧入した際、内輪３０ａの外周面との間で、所定の隙間が生じる大きさに形成されている。さらに、磁石４２および保持板４４の軸方向長さは、両者が接着された状態で圧入された際、段差６０による垂直な面６０ａに対して、隙間が生じる大きさに形成されている。
【００３７】
上記したように、軸方向に磁極が向くように着磁されている磁石４２を接着した保持板４４を外輪３０ｂに圧入すると、内輪３０ａ側および外輪３０ｂ側では、軸方向に対して対称となるような磁束が形成される。このため、上記した保持板４４と内輪３０ａとの間の隙間、および、磁石４２と外輪３０ｂとの間の隙間に対しては、それぞれ内輪側磁性流体４５ａおよび外輪側磁性流体４５ｂを保持させることが可能となる。
【００３８】
また、本実施形態において、磁性流体シール４０の磁性流体４５（本実施形態では、内輪側磁性流体４５ａ）と該磁性流体４５ａに対向する支持部材１１の対向部位との間には、支持部材１１に対する磁性流体４５ａの付着を防止するための間隙ｓが設けられている。図２および図３では、この間隙ｓが、支持部材１１に磁性流体を逃がす例えば溝状の逃げ部を設けることにより形成されるが、間隙ｓを確保するための形態はどのような形態であっても構わない。なお、図２および図３では、間隙ｓを確保するために支持部材１１に形成される溝が垂直面を伴う段差溝であるが、図４に示されるように傾斜１１ａを伴う溝であってもよい。このようにすると、厳しい実用条件下でも磁性流体シール機能を確実に発揮できるという効果が得られる。
【００３９】
また、本実施形態において、ロータの回転に伴う遠心力などによって磁性流体４５が飛散し得る方向には、例えば磁石４２の磁力が作用する範囲内のラインローラ２３の部位に、特にラインローラ２３の端部の内面に、飛散する磁性流体４５を受けるための受け部７０が設けられる。この受け部７０は、本実施形態では凹陥状の溝として形成されており、磁性流体溜部として機能する。
【００４０】
以上説明したように、本実施形態の魚釣用スピニングリールによれば、軸受に磁性流体シールが一体に設けられて成る磁性流体シール付き軸受２５によってラインローラ２３を支持部（支軸）１７に回転可能に支持するようにしているため、取り扱い性およびメンテナンス性（特に、高速回転して釣糸をシゴキながらスプール５へと案内支持するラインローラ２３では、実釣の繰り返しによって様々な異物や海水の固化物等がラインローラ２３の支持部周りに付着してしまうため、メンテナンス性の向上は非常に有益である）が良好になるとともに、高速回転して釣糸をシゴキながらスプール５へと案内支持するラインローラ２３の軸受部を確実にシールすることが可能になる。また、このようなユニット型の磁性流体シール付き軸受２５によれば、軸受の設置スペースとは別にシールのためのスペースを確保する必要がなくなる。そのため、小さいスペースでシールおよび軸受を設置でき、省スペース化を図ることができる。また、軸受の組み込みとは別に磁気シール機構を組み付ける必要がないため、組み込み性（作業性）が良く、生産性を向上できる（つまり、組み立て作業時間を短くでき、製造コストも低減できる）。
【００４１】
また、本実施形態の構成では、磁性流体シール４０が軸受本体３０の両側に設けられている。そのため、特に、海水や異物等を多く付着した釣糸を高速回転してシゴキながらスプール５へと案内するという過酷な環境下で使用されるラインローラ２３においては非常に有益である。すなわち、磁性流体シール４０を軸受本体３０の両側に設けることにより、例えば、軸受２５の内輪３０ａと支持部１７との嵌合部、軸受２５の外輪３０ｂとラインローラ２３との間の嵌合部、および、ネジ１９の締め付け部などを通じて海水等が軸受２５の内部に入って塩ガミする可能性を確実に防止できる。また、このような作用効果は、本実施形態のように磁性流体４５ａ，４５ｂを内外輪３０ａ，３０ｂの両方に対して設けることにより向上される。
【００４２】
また、本実施形態のように磁性流体シール４０が軸受本体３０の両側に設けられれば、例えば特許文献１の軸受片側シール構造のように防水性を向上させるべく内輪を軸方向に押圧して両側で当て付けた構成とする必要がなくなる。実際に、本実施形態では、前述したように、軸受本体３０を支軸の軸方向で押圧することなく支持部１７上に（所定の軸方向遊度ｃ（図３参照）をもって）支持している。そのため、軸受２５の内外輪３０ａ，３０ｂに軸方向の剪断力を作用させずに済み、軸受２５の回転、したがって、ラインローラ２３の回転を軽くして（回転を滑らかにして）、ラインローラ２３の回転性能を向上させることができる。
【００４３】
また、本実施形態の構成では、磁性流体シール４０の磁性流体４５と該磁性流体４５に対向するベール支持部材１１の対向部位との間に、支持部材１１に対する磁性流体４５の付着を防止するための間隙ｓが設けられている。このような間隙ｓを設けると、毛細管現象、ロータ高速回転に伴う遠心力、および、熱膨張による圧力変化などに起因して磁性流体４５が外方に膨れ上がる際に、その膨れ上がった磁性流体４５が支持部材１１に付着することが防止され、したがって、軸受２５の磁性流体４５が損なわれることを回避でき、シール機能を良好に維持することができるようになる。
【００４４】
なお、本発明は、前述した実施形態に限定されず、その要旨を逸脱しない範囲で種々変形して実施できる。例えば、前述した実施形態において、外輪側磁性流体４５ｂは、外輪３０ｂと磁石４２との間に保持されるが、外輪３０ｂと保持板４４との間に保持されてもよい。また、前述した実施形態において、内輪側磁性流体４５ａは、内輪３０ａと保持板４４との間に保持されるが、内輪３０ａと磁石４２との間に保持されてもよい。
【符号の説明】
【００４５】
３  ハンドル
５  スプール
７  ロータ
１１  支持部材
１７  支持部（支軸）
２３  ラインローラ
２５  磁性流体シール付き軸受
３０  軸受本体
３０ａ  内輪
３０ｂ  外輪
３０ｃ  転動体
４０  磁性流体シール
４２  磁石
４４  保持板
４５ａ  内輪側磁性流体
４５ｂ  外輪側磁性流体
ｓ  間隙
【図１】
2015146767.tif 000003
【図２】
2015146767.tif 000004
【図３】
2015146767.tif 000005
【図４】
2015146767.tif 000006